(57)【要約】      （修正有）【課題】流路から液体が蒸発することを抑制する液体収容装置を提供する。【解決手段】液体を収容する収容体を装着し、前記液体を導入する導入部１０と、導入部１０から導出された前記液体を吐出し、被記録媒体に記録を行う記録ヘッド４と、を有する装着部６を備え、装着部６は、導入部１０が設けられた方形の第１プレート１２と、第１プレート１２の導入部１０が設けられた面とは反対側の面側に積層される方形の第２プレート１３と、を有し、第１プレート１２と第２プレート１３とが対向する位置には、前記液体の流路１５と、流路１５を囲うシール部２０と、が設けられ、第１プレート１２と第２プレート１３とが積層される方向から見たシール部２０は、方形の少なくとも一部が流路１５側に寄せられた形状をしている。【選択図】図４
2015116720.tif 000002
【特許請求の範囲】
【請求項１】
液体を収容する収容体を装着し、
前記液体を導入する導入部と、前記導入部から導出された前記液体を吐出し、被記録媒
体に記録を行う記録ヘッドと、を有する装着部を備え、
前記装着部は、前記導入部が設けられた方形の第１プレートと、前記第１プレートの前
記導入部が設けられた面とは反対側の面側に積層される方形の第２プレートと、を有し、
前記第１プレートと前記第２プレートとが対向する位置には、前記液体の流路と、前記
流路を囲うシール部と、が設けられ、
前記第１プレートと前記第２プレートとが積層される方向から見た前記シール部は、方
形の少なくとも一部が前記流路側に寄せられた形状をしていることを特徴とする記録装置
。
【請求項２】
請求項１に記載の記録装置において、
前記装着部が装着されるキャリッジを有し、
前記装着部は、前記第１プレート及び前記第２プレートの少なくとも一方を前記キャリ
ッジに固定する固定部を有し、
前記固定部は、前記シール部の形状が前記方形とした場合には前記シール部と接触する
位置又は前記シール部で囲われる内側の位置に、配置されることを特徴とする記録装置。
【請求項３】
請求項１又は２に記載の記録装置において、
前記第２プレートにおける前記第１プレートと対向する面と反対側の面には、前記流路
と繋がり前記液体を吐出する吐出部が設けられ、
前記第２プレートの前記シール部で囲われる内側には、前記第２プレートを貫通する孔
部が設けられていることを特徴とする記録装置。
【請求項４】
請求項１から３のいずれか１項に記載の記録装置において、
前記第１プレートの前記シール部で囲われる内側には、前記第１プレートの面方向に沿
って空洞が設けられ、前記空洞の一端は前記内側に繋がり前記空洞の他端は前記第１プレ
ートの前記導入部が設けられた面に繋がることを特徴とする記録装置。
【請求項５】
請求項１から４のいずれか１項に記載の記録装置において、
前記収容体の移動を規制する規制部と、前記収容体を前記規制部に向けて付勢する付勢
部とを有することを特徴とする記録装置。
【発明の詳細な説明】
【技術分野】
【０００１】
本発明は、記録装置に関する。
【背景技術】
【０００２】
従来から、液体収容装置に収容された液体としてのインクを被記録媒体に吐出して記録
する記録装置が使用されている。このような記録装置のうち、インクを収容したインクカ
ートリッジ等の収容体を、記録ヘッドが設けられた装着部に、装着させる構成の、液体収
容装置を備えるものが多く使用されている。  
例えば、特許文献１には、収容体としてのインクカートリッジと該インクカートリッジ
の装着部としてのヘッド固定枠部材とを有する液体収容装置を備えた記録装置が開示され
ている。  
また、このような液体収容装置には液体の流路が設けられているが、前記流路からの前
記液体の蒸発を抑制する技術が開示されている。例えば、特許文献２では、インク流路を
囲う方形の部材（所謂シール部）により、前記流路からの前記液体の蒸発を抑制する技術
が開示されている。
【先行技術文献】
【特許文献】
【０００３】
【特許文献１】特開２００１−６３０２０号公報
【特許文献２】特開２０１２−２００９６３号公報
【発明の概要】
【発明が解決しようとする課題】
【０００４】
近年、液体の流路が設けられる液体収容装置において、前記流路から前記液体が蒸発す
ることを、これまで以上に高いレベルで抑制することが望まれている。
【０００５】
そこで、本発明の目的は、液体の流路が設けられた液体収容装置において前記流路から
の前記液体の蒸発を抑制することである。
【課題を解決するための手段】
【０００６】
上記課題を解決するための本発明の第１の態様の記録装置は、液体を収容する収容体を
装着し、前記液体を導入する導入部と、前記導入部から導出された前記液体を吐出し、被
記録媒体に記録を行う記録ヘッドと、を有する前記収容体の装着部と、を備え、前記装着
部は、前記導入部が設けられた方形の第１プレートと、前記第１プレートの前記導入部が
設けられた面とは反対側の面側に積層される方形の第２プレートと、を有し、前記第１プ
レートと前記第２プレートとが対向する位置には、前記液体の流路と、前記流路を囲うシ
ール部と、が設けられ、前記第１プレートと前記第２プレートとが積層される方向から見
た前記シール部は、方形の少なくとも一部が前記流路側に寄せられた形状をしていること
を特徴とする。
【０００７】
本態様によれば、前記第１プレートと前記第２プレートとが積層される方向から見た前
記シール部は、方形の少なくとも一部が前記流路側に寄せられた形状をしている。すなわ
ち、従来のような方形のシール部よりもシール部で囲われた部分の体積を小さくすること
ができ、該シール部で囲われた部分を、前記流路からの少ない前記液体の蒸発成分により
飽和させることができ、前記流路からの前記液体の蒸発を効果的に抑制することができる
。  
なお、「方形の少なくとも一部が前記流路側に寄せられた形状」とは、例えば、角が４
つ以上の多角形であって、内角が１８０°より大きい角を有する多角形が挙げられる。
【０００８】
本発明の第２の態様の記録装置は、前記第１の態様において、前記装着部が装着される
キャリッジを有し、前記装着部は、前記第１プレート及び前記第２プレートの少なくとも
一方を前記キャリッジに固定する固定部を有し、前記固定部は、前記シール部の形状が前
記方形とした場合には前記シール部と接触する位置又は前記シール部で囲われる内側の位
置に、配置されることを特徴とする。
【０００９】
本態様によれば、前記固定部は、前記シール部の形状が前記方形とした場合には前記シ
ール部と接触する位置又は前記シール部で囲われる内側の位置に、配置される。ここで、
前記固定部を前記シール部と接触する位置又は前記シール部で囲われる内側の位置に配置
することは困難である。シール部のシール効果が弱くなるためである。このため、前記シ
ール部で囲われる外側の位置であって前記シール部の形状が前記方形とした場合には前記
シール部と接触する位置又は前記シール部で囲われる内側の位置に前記固定部を配置する
ことにより、前記第１プレート及び前記第２プレートのスペースを有効に利用でき、前記
装着部の大型化を抑制することができる。  
なお、前記固定部を複数有する場合、複数の固定部のうちの少なくとも１つが前記シー
ル部の形状が前記方形とした場合には前記シール部と接触する位置又は前記シール部で囲
われる内側の位置に、配置されれば、本態様に該当する。
【００１０】
本発明の第３の態様の記録装置は、前記第１又は第２の態様において、前記第２プレー
トにおける前記第１プレートと対向する面と反対側の面には、前記流路と繋がり前記液体
を吐出する吐出部が設けられ、前記第２プレートの前記シール部で囲われる内側には、前
記第２プレートを貫通する孔部が設けられていることを特徴とする。
【００１１】
本態様によれば、前記第２プレートにおける前記反対側の面には、前記吐出部が設けら
れる。このため、前記第２プレートにおける前記反対側の面側は、前記吐出部から吐出さ
れた前記液体の蒸発成分を有する。そして、本態様によれば、前記第２プレートの前記シ
ール部で囲われる内側には、前記第２プレートを貫通する、即ち前記液体の蒸発成分を含
む大気と連通する孔部が設けられている。このため、前記吐出部から吐出された前記液体
の蒸発成分を、前記孔部から前記シール部で囲われる内側に導入することができ、前記流
路からの少ない前記液体の蒸発成分により飽和させることができ、前記流路からの前記液
体の蒸発を効果的に抑制することができる。
【００１２】
本発明の第４の態様の記録装置は、前記第１から第３のいずれか１つの態様において、
前記第１プレートの前記シール部で囲われる内側には、前記第１プレートの面方向に沿っ
て空洞が設けられ、前記空洞の一端は前記内側に繋がり前記空洞の他端は前記第１プレー
トの前記導入部が設けられた面に繋がることを特徴とする。
【００１３】
本態様によれば、前記第１プレートの前記シール部で囲われる内側と前記第１プレート
の前記導入部が設けられた面とは繋がっている。このため、前記シール部で囲われる内側
から余分な前記液体の蒸発成分を排出することができ、前記シール部で囲われる内側が前
記液体の蒸発成分により飽和し、この部分に結露等が発生することを抑制することができ
る。また、前記空洞は前記第１プレートの面方向に沿って設けられるので、前記シール部
で囲われる内側から前記導入部が設けられた面側に前記液体の蒸発成分が速く移動しすぎ
ることを抑制し、前記流路から前記液体が蒸発することを抑制する効果も維持できる。
【００１４】
本発明の第５の態様の記録装置は、前記第１から第４のいずれか１つの態様において、
前記収容体の移動を規制する規制部と、前記収容体を前記規制部に向けて付勢する付勢部
とを有することを特徴とする。
【００１５】
本態様によれば、前記収容体の移動を規制する規制部と、前記収容体を前記規制部に向
けて付勢する付勢部とを有するので、前記収容体を確りと固定することができる。
【図面の簡単な説明】
【００１６】
【図１】本発明の一実施例に係る記録装置を表す概略斜視図。
【図２】本発明の一実施例に係る液体収容装置を表す概略斜視図。
【図３】本発明の一実施例に係る液体収容装置においてインクカートリッジを取り外した状態を表す概略斜視図。
【図４】本発明の一実施例に係る液体収容装置におけるインクカートリッジの装着部を表す分解斜視図。
【図５】本発明の一実施例に係る装着部の第２プレートを表す概略平面図。
【図６】本発明の一実施例に係る液体収容装置を表す概略断面図。
【発明を実施するための形態】
【００１７】
以下に、本発明の一実施例に係る液体収容装置及び該液体収容装置を備える記録装置に
ついて、添付図面を参照して詳細に説明する。  
最初に、本発明の一実施例に係る記録装置について説明する。なお、該記録装置は、本
発明の一実施例に係る液体収容装置を備える記録装置であるが、本発明の液体収容装置は
、記録装置に備えられるものに限定されず、また、液体収容装置に収容される液体はイン
クに限定されない。  
図１は本実施例に係る記録装置１の概略斜視図を表している。
【００１８】
本実施例の記録装置１は、不図示の搬送部により搬送方向Ａに搬送される被記録媒体Ｐ
に対して、被記録媒体Ｐと対向する側にインクを吐出する記録ヘッド４（図４及び図６参
照）が備えられた液体収容装置２を、搬送方向Ａと交差する方向Ｂに往復移動させて記録
を実行する。  
詳細には、被記録媒体Ｐの搬送方向Ａと交差する方向Ｂに記録ヘッド４をキャリッジ３
（図２及び図３参照）に搭載して往復移動（往復走査）させつつ、複数のノズルが設けら
れたノズル面Ｆ（図６参照）の該ノズルからインクを吐出して記録する。
【００１９】
なお、本実施例の記録装置１は、記録ヘッド４を往復走査させて記録を実行する構成で
あるが、インクを吐出するノズルを搬送方向Ａと交差する方向Ｂに複数設けた所謂ライン
ヘッドを備える構成でもよい。  
ここで、「ラインヘッド」とは、被記録媒体Ｐの搬送方向Ａと交差する方向Ｂに形成さ
れたノズルの領域が、方向Ｂ全体をカバー可能なように設けられ、記録ヘッド又は被記録
媒体の一方を固定し他方を移動させて画像を形成する記録装置に用いられる記録ヘッドで
ある。なお、ラインヘッドの方向Ｂのノズルの領域は、記録装置が対応している全ての被
記録媒体Ｐの方向Ｂ全体をカバー可能でなくてもよい。  
また、記録ヘッドのノズル領域を、被記録媒体Ｐの搬送方向Ａと交差する方向Ｂ全体を
カバー可能なように設け、記録ヘッド又は被記録媒体の両方を移動させて画像を形成して
もよい。
【００２０】
また、本実施例の記録装置１は、記録部としての記録ヘッド４に対して被記録媒体Ｐを
搬送（移動）して記録する構成であるが、被記録媒体Ｐに対して記録部を移動する構成と
してもよいし、被記録媒体Ｐと記録部との両方を移動させる構成としてもよい。  
さらに、メンテナンス機構や被記録媒体Ｐに吐出されたインクの乾燥機構等、従来の記
録装置が備える構成要素の少なくとも１つを備えていてもよい。
【００２１】
次に、本実施例の液体収容装置２について説明する。  
図２は本実施例の液体収容装置２を表す概略斜視図であり、図３は本実施例の液体収容
装置２においてインクカートリッジ５ａ及び５ｂを取り外した状態を表す概略斜視図であ
る。
【００２２】
図２及び図３で表されるように、本実施例の液体収容装置２は、キャリッジ３、インク
カートリッジ５ａ及び５ｂ、並びに、インクカートリッジ５ａ及び５ｂの装着部６を備え
ている。
【００２３】
ここで、インクカートリッジ５ａはブラックインクを収容するインクカートリッジであ
り、インクカートリッジ５ｂはシアンインク、マゼンタインク及びイエローインクを収容
するインクカートリッジである。  
そして、インクカートリッジ５ａには固定部７ａが設けられており、固定部７ａがキャ
リッジ３に設けられた固定部８ａに対して付勢されることで、インクカートリッジ５ａは
キャリッジ３に固定される。同様に、インクカートリッジ５ｂには固定部７ｂが設けられ
ており、固定部７ｂがキャリッジ３に設けられた固定部８ｂに対して付勢されることで、
インクカートリッジ５ｂはキャリッジ３に固定される。  
また、インクカートリッジ５ａ及び５ｂの底面側には、インクを装着部６側に供給する
ためのインク供給口９が設けられている（図６参照）。
【００２４】
また、図３で表されるように、キャリッジ３の底面側にはインクカートリッジ５ａ及び
５ｂの装着部６が設けられている。なお、装着部６の構成は後述するが、装着部６の底面
側には記録ヘッド４が設けられており、キャリッジ３の底面部２３における記録ヘッド４
の位置に対応する位置には孔部１１が設けられている（図６参照）。
【００２５】
装着部６には、インクカートリッジ５ａ及び５ｂのインク供給口９に対応する位置、即
ち装着部６にインクカートリッジ５ａ及び５ｂを装着した際にインク供給口９と対向する
位置に、インク導入部１０が設けられている。装着部６にインクカートリッジ５ａ及び５
ｂが装着されると、インク供給口９にインク導入部１０が嵌る（図６参照）。このような
構成とすることでインクカートリッジ５ａ及び５ｂから装着部６にインクを供給すること
が可能になっている。
【００２６】
次に、本実施例の装着部６について説明する。  
図４は本実施例の装着部６の分解斜視図であり、図５は本実施例の装着部６の第２プレ
ート１３を表す概略平面図である。また、図６は、本実施例の液体収容装置２の概略断面
図であり、図５のＸ−Ｘで表される部分の断面図である。
【００２７】
図４で表されるように、本実施例の装着部６は、インクカートリッジ５ａ及び５ｂが装
着される側から順に、方形の第１プレート１２、方形の第２プレート１３、記録ヘッド４
を備えている。別の表現をすると、第２プレート１３は第１プレート１２のインク導入部
１０が設けられた面とは反対側の面側に積層され、記録ヘッド４は第２プレート１３の第
１プレート１２と積層される面とは反対側の面側に積層される。  
第１プレート１２のインクカートリッジ５ａ及び５ｂが装着される側（上面）には、上
記のインク導入部１０が設けられている。また、インクカートリッジ５ａの固定部７ａを
キャリッジ３の固定部８ａに対して付勢するための付勢部としてのバネ１４ａと、インク
カートリッジ５ｂの固定部７ｂをキャリッジ３の固定部８ｂに対して付勢するためのバネ
１４ｂと、を備えている。バネ１４ａ及び１４ｂでインクカートリッジ５ａ及び５ｂを上
側に押すことで、固定部７ａは固定部８ａに対して付勢され、固定部７ｂは固定部８ｂに
対して付勢される。
【００２８】
すなわち、上記を別の表現をすると、本実施例の液体収容装置２は、インクカートリッ
ジ５ａ及び５ｂの移動を規制する規制部としての固定部８ａ及び８ｂと、インクカートリ
ッジ５ａ及び５ｂを固定部８ａ及び８ｂに向けて付勢する付勢部としてのバネ１４ａ及び
１４ｂとを備えている。このような構成により、インクカートリッジ５ａ及び５ｂを確り
と固定することができる構成になっている。
【００２９】
第１プレート１２の下面と第２プレート１３の上面とで挟まれた空間には、インク流路
１５が構成されている。詳細には、インク流路１５は、第１プレート１２の下面と第２プ
レート１３の上面と壁部１６とによって構成される。そして、図５及び図６のインク流路
１５中に記載された矢印で表されるように、第１プレート１２の下面側に設けられインク
導入部１０と繋がる孔部１７から、第２プレート１３の上面側に設けられ記録ヘッド４と
繋がる孔部１８へ、インクを供給可能な流路である。  
なお、壁部１６は、樹脂材料等により簡単に構成することが可能であるが、特に構成材
料に限定はない。
【００３０】
記録ヘッド４のノズル面Ｆ（下面）にはインクを吐出するノズルが複数設けられている
が、記録ヘッド４の第２プレート１３側（上面）には、該ノズルと繋がる孔部１９が設け
られている。そして孔部１９と孔部１８とが繋がるように構成されていることで、インク
流路１５から記録ヘッド４にインクが供給される構成になっている。  
すなわち、図６の矢印で表されるように、インクカートリッジ５ａ及び５ｂのインクは
、インク供給口９、インク導入部１０、第１プレート１２、孔部１７、インク流路１５、
孔部１８、第２プレート１３、孔部１９を介して、記録ヘッド４に供給される。そして、
記録ヘッド４はインク導入部１０から導出されたインクを吐出し、被記録媒体Ｐに記録を
行う。
【００３１】
また、第１プレート１２の下面と第２プレート１３の上面とで挟まれた空間（第１プレ
ート１２と第２プレート１３とが対向する位置）には、４つのインク流路１５を囲う位置
にシール部２０が設けられている。シール部２０は、インク流路１５からのインク中の水
分などの蒸発成分の透過を抑制するためのものである。すなわち、シール部２０で囲われ
た部分２１においてインク流路１５から透過した蒸発成分を飽和させ、インク流路１５か
らの更なる蒸発成分の透過を抑制するためのものである。  
なお、シール部２０は、例えば水を透過しにくい樹脂材料等により簡単に構成すること
が可能であるが、特に構成材料に限定はない。
【００３２】
ここで、シール部２０で囲われた部分２１の体積が小さいほどこの部分を飽和させるた
めに必要となる蒸発成分の量は少なくて済む。このため、シール部２０で囲われた部分２
１の体積を小さくすることで、より効果的にインク流路１５からの蒸発成分の透過を抑制
することができる。  
従来の液体収容装置２においては、シール部２０で囲われた部分は、図５の方形２２で
表されるように、キャリッジ３の往復移動の方向Ｂと沿う方向の辺を有する方形２２のよ
うな形状をしていた。  
一方、図５で表されるように、本実施例のシール部２０は、第１プレート１２と第２プ
レート１３とが積層される方向から見て、キャリッジ３の往復移動の方向Ｂと沿う方向の
辺を有する方形２２に対して、矢印Ｃで表されるように方形２２の一部がインク流路１５
側に寄せられた形状をしている。すなわち、従来のような方形のシール部よりもシール部
２０で囲われた部分２１の体積を小さくすることができている。こうして、本実施例の記
録装置１及び液体収容装置２は、該シール部２０で囲われた部分２１を、インク流路１５
からの少ないインクの蒸発成分により飽和させ、インク流路１５からのインクの蒸発を効
果的に抑制している。  
なお、方形２２の少なくとも一部が流路１５側に寄せられた形状であればよいが、方形
２２の少なくとも一部が流路１５側に寄せられた形状とは、例えば、本実施例のように、
角が４つ以上の多角形であって、内角が１８０°より大きい角を有する多角形が挙げられ
る。
【００３３】
また、本実施例の液体収容装置２における装着部６は、第１プレート１２と第２プレー
ト１３とを固定する固定部２４ａ、２４ｂ及び２４ｃを有している。このうち、固定部２
４ｃは、図５で表されるように、シール部２０で囲われる外側の位置であって、シール部
２０の形状が方形２２とした場合にはシール部２０と接触する位置に配置されている。こ
こで、固定部２４ａ、２４ｂ及び２４ｃをシール部２０と接触する位置又はシール部２０
で囲われる内側の位置に配置することは困難である。シール部２０のシール効果が弱くな
るためである。このため、本実施例の装着部６は、図５で表されるような位置に固定部２
４ｃを配置することにより、第１プレート１２及び第２プレート１３のスペースを有効に
利用し、装着部６の大型化を抑制している。  
なお、本実施例では、固定部２４ｃは前記接触する位置に配置されているが、固定部２
４ｃはシール部２０の形状が方形２２とした場合にシール部２０で囲われる内側（囲われ
た部分２１）の位置に配置されていてもよい。さらに、固定部２４ａ、２４ｂ及び２４ｃ
のうちの少なくともいずれか１つが、前記接触する位置又は前記内側の位置に配置されて
いてもよい。  
また、固定部２４ａ、２４ｂ及び２４ｃは、ねじ止め構成の固定部であるが、その他の
構成の固定部であってもよい。
【００３４】
また、上記のように、本実施例の液体収容装置２の第２プレート１３における第１プレ
ート１２と対向する面と反対側の面には、インク流路１５と繋がりインクを吐出する吐出
部としての記録ヘッド４が設けられている。そして、図５で表されるように、第２プレー
ト１３のシール部２０で囲われる内側には、第２プレート１３を貫通する、即ち大気と連
通する孔部２５が設けられている。ここで、第２プレート１３における第１プレート１２
と対向する面と反対側の面側の大気は、記録ヘッド４から吐出されたインクの蒸発成分を
含んでいる。このような構成により、記録ヘッド４から吐出されたインクの蒸発成分を、
孔部２５からシール部２０で囲われる内側に導入することができ、インク流路１５からの
少ないインクの蒸発成分により飽和させることができ、インク流路１５からのインクの蒸
発を効果的に抑制することができる。
【００３５】
また、図４で表されるように、本実施例の液体収容装置２における第１プレート１２の
下面側であってシール部２０で囲われる内側（シール部２０で囲われた部分２１）の領域
２９に対応する部分には、空洞２６が設けられている。空洞２６は、第１プレート１２の
面方向に沿って設けられており、シール部２０で囲われた部分２１と第１プレート１２の
インク導入部１０が設けられた側（上面）とを繋いでいる。空洞２６のシール部２０で囲
われた部分２１側の端部（一端）には孔部２７が設けられ、空洞２６の第１プレート１２
の上面側端部（他端）には孔部２８が設けられている。  
このような構成により、シール部２０で囲われた部分２１から余分なインクの蒸発成分
を排出し、シール部２０で囲われた部分２１がインクの蒸発成分により飽和して該部分２
１に結露等が発生することを抑制している。また、空洞２６は第１プレート１２の面方向
に沿って設けられているので、シール部２０で囲われた部分２１からインク導入部１０が
設けられた側にインクの蒸発成分が速く移動しすぎることを抑制し、インク流路１５から
インクが蒸発することを抑制している。
【符号の説明】
【００３６】
１  記録装置、２  液体収容装置、３  キャリッジ、４  記録ヘッド、
５ａ、５ｂ  インクカートリッジ（収容体）、６  装着部、７ａ、７ｂ  固定部、
８ａ、８ｂ  固定部（規制部）、９  インク供給口、１０  インク導入部（導入部）、
１１  孔部、１２  第１プレート、１３  第２プレート、
１４ａ、１４ｂ  バネ（付勢部）、１５  インク流路、１６  壁部、１７  孔部、
１８  孔部、１９  孔部、２０  シール部、２１  シール部２０で囲われた部分、
２２  方形、２３  キャリッジ３の底面部、２４ａ、２４ｂ  固定部、２５  孔部、
２６  空洞、２７  孔部、２８  孔部、２９  領域、Ｐ  被記録媒体
【図１】
2015116720.tif 000003
【図２】
2015116720.tif 000004
【図３】
2015116720.tif 000005
【図４】
2015116720.tif 000006
【図５】
2015116720.tif 000007
【図６】
2015116720.tif 000008